(57)【特許請求の範囲】
【請求項１】
推力が２０ｋｇｆ以下の小型ロケット用発射台であって、発射前の小型ロケットを支える下部支持板と脚、発射後の小型ロケットの飛しょう経路を制限するロケットガイド、小型ロケットの推力を受ける上部板からなり、小型ロケットの太さによって、ロケットガイド間の間隔を調整し、太さの異なる小型ロケットでも安全に小型ロケットを飛しょうさせるための調整スリットが上部板と下部支持板にそれぞれ板の中心から放射状に設けられていることを特徴とする小型ロケット用発射台。
【請求項２】
小型ロケットの破裂による飛散物から観測者を守る保護板を有することを特徴とする請求項１記載の小型ロケット用発射台。
【請求項３】
上部板略中央に推力測定のための推力測定器を設けたことを特徴とする請求項１又は２項記載の小型ロケット用発射台。
【発明の詳細な説明】
【技術分野】
【０００１】    本発明は、小型ロケット用発射台に関する。
【背景技術】
【０００２】  従来は，ペットボトルロケットやモデルロケットや玩具ロケット等の小型ロケット用発射台は、屋外に設置されているため、ロケットの飛しょう実験は天候に左右され、強風時や豪雨時には実験の実施が困難であった。【０００３】  また、ペットボトルロケットやモデルロケットや玩具ロケット等の小型ロケット性能は，到達高度あるいは飛しょう距離より算出し、飛しょうしながらの推力の計測は行われていなかった。
【先行技術文献】
【特許文献】
【０００４】
【特許文献１】特開平１１−３２７４７４号公報
【特許文献２】特開平９−２９４８７４号公報
【発明の概要】
【発明が解決しようとする課題】
【０００５】  上記の問題点を解決するため、天候に関係ない屋内でも、太さの異なるペットボトルロケットやモデルロケットや玩具ロケット等の小型ロケットの飛しょうデモンストレーションとロケット推力測定が、安全にできるようにする必要がある。
【課題を解決するための手段】
【０００６】  本発明は上記目的である室内においても安全に小型ロケットのデモンストレーション行うことを達成するために、本発明の小型ロケット用発射台は、発射前の小型ロケットを支える下部支持板、発射台を支える脚、ロケットの発射後の飛しょう経路を制限するロケットガイド、ロケット飛しょう時の推力を受ける上部板から構成されている。【０００７】  太さの異なる小型ロケットでも安全に飛しようさせるため、上部板と下部支持板には、ロケットガイド間隔を調整できる調整用スリットを、板中心から放射状に設けることができる。【０００８】  予期しないロケットの破裂による飛散物から観測者を守るための保護板を設置することができる。【０００９】  飛しょう中のロケットの推力を測定するために、上部板略中央に推力測定のための推力測定器を設けることができる。
【発明の効果】
【００１０】  以上、説明したように、本発明によれば、室内外でのロケットの飛しょう実験の実施も可能であるが、天候に関係なく室内で安全にロケット飛しょう実験のデモンストレーションを行うことができるため、室内で行われるロケット教育体験教材としても利用することができる。【００１１】また、太さの異なる小型ロケットの飛しょう実験の場合にも容易に安全に対応できる効果がある。【００１２】  請求項２によれば、予期しない小型ロケットの破裂による飛散物から観測者を守ることができるため、特に安全が重要な室内で行われるロケット教育体験教材としても利用することができる。【００１３】  請求項３によれば、上部板略中央に推力測定器を設置することにより、小型ロケット飛しょう中の推力測定ができる。
【図面の簡単な説明】
【００１４】
【図１】  本発明の小型ロケット用発射台の斜視図
【図２】  図１から小型ロケットを除いた発射台の斜視図
【図３】  図１の小型ロケットが飛しょうしている状態の発射台の概略図
【図４】  図１の発射台の下部支持板の平面図
【図５】  図１の発射台に保護板を設置した斜視図
【図６】  推力測定器を設置した小型ロケット用発射台の正面図
【図７】  本発明の発射台を横向きに設置した場合の発射台の正面図
【発明を実施するための形態】
【００１５】  図１は、本発明の小型のロケット用発射台の基本形態である。図１の小型ロケット１は、ペットボトルロケットやモデルロケットや玩具ロケット等の推力が２０ｋｇｆ以下の小推力ロケットである。
【００１６】  図１の２は下部支持板であり，図２のように下部支持板２の中心には、ロケットの太さより小さい直径を持つロケット設置穴３が開けられており、図１のように発射前の小型ロケット１を安定して置くことができる。
【００１７】  下部支持板２の下には脚４がある。適当な長さの脚４を選択することにより、発射前のロケットの位置を程良い高さに設置できる。
【００１８】  下部支持板２には、ロケットガイド５が設置されており、ロケットガイド５のそれぞれがほぼ平行になるように、上部板６でロケットガイド５を固定している。
【００１９】  ロケットガイド５の両端には、例えば、ねじが切ってあり、下部支持板２および上部板６とロケットガイド５とをナット等で固定する。このことで発射台の分解やロケットガイド５を容易に交換することもできる。
【００２０】  小型ロケット１は、発射後、ロケットガイド５に沿って上昇し、上部板６に当たる。その状態を、図３の概略図に示す。
【００２１】  下部支持板２の平面図を図４に示す。図４の８の円は、図１の小型ロケット１の断面の外形円で小型ロケットの最大の太さを示すものである。図４におけるロケットガイドの間隔ａおよびｂは、ロケットの太さを示す円８の直径ｃよりわずかに狭くなっており，ロケットガイド５の間からロケットが飛び出さないようになっている。そのため室内でもロケットの飛しょう実験が可能となる。
【００２２】  図１には４本のロケットガイド５が描かれているが、ロケットガイドの数は多いほうが安全性の上では好ましい。ただし，最低３本のロケットガイドがあれば、本発明によるロケット飛しょう実験は安全に実施可能である。
【００２３】  図４の下部支持板２には、ロケットガイド間の間隔を調節するための調整用スリット（下部）９が，ロケットガイド５の数に合わせ板の中心から放射状に設けられている。同様なスリットが図５の上部板６にも設けられている。
【００２４】  したがって、図５の下部支持板２に設けられた調整用スリット（下部）９と、図５の上部板５に設けられた調整用スリット（上部）１０によるロケットガイド間隔の調節により、異なった太さを持つロケットでも、その飛しょうを、ロケットガイド５内に制限することができる。
【００２５】  図５のように、発射台に透明なポリカーボネート等の強固な透明プラスチック製の保護板１１を、保護板取り付け治具１３等を用いて発射台とほぼ平行になるように設置すれば、ロケットが予期しない破裂をしても、ロケットの破片が観察者のほうへ飛散しないようにできるため、室内で行われるロケット教育体験教材としても利用することができる。
【００２６】  図６は、本発明の小型ロケット用発射台の上部板５の下側に推力測定器１２を設置した正面図である。図６の推力測定器１２は、測定器にかかる力を電気信号に変換するものであり，測定器に市販のロードセルを使用するか、または，上部板にかかる推力によるひずみを、ひずみゲージとひずみ測定器を使用することで、測定器にかかる力を測定することができる。
【００２７】  したがって、上部板略中央に推力測定器を設置することにより、ロケット飛しょう中の推力測定ができる。
【００２８】  ロケット発射時の推力測定の誤差を小さくしたい場合には、図６のロケットガイド５の長さを短くする。ロケット飛しょうデモンストレーションの際の迫力を優先させたい場合には、ロケットガイド５を長くすると迫力がより増し、使用目的に応じて、ロケットガイド５の長さを変えたりし、上部板６と下部支持板２の間隔を調節する。
【００２９】  また、室外で、ロケットの飛しょうを行う場合には、上部板６を外すことにより、従来のロケット発射台のようにロケットを空中に射出することもできる。
【００３０】  さらに、上部板６と下部支持板２の形状を、各板１辺の長さが等しい長方形等にすれば、図７のように水平燃焼実験も容易に実施できる。
【符号の説明】
【００３１】１    小型ロケット
２    下部支持板
３    ロケット設置穴
４    脚
５    ロケットガイド
６    上部板
７    飛しょう中の小型ロケット
８    ロケットの太さを示す円
９    調節用スリット（下部）
１０  調節用スリット（上部）
１１  保護板
１２  推力測定器
１３  保護板取り付け治具
【要約】
【課題】小型ロケット用発射台を提供する。
【解決手段】小型ロケット用発射台の主な構造は、下部支持板、脚、ロケットガイド、上部板、推力測定部、保護板からなる。小型ロケットを本発射台に設置し、本発射台でロケット発射実験を行うことにより、室内でも安全にロケットの飛しょうをデモンストレーションしながら同時に飛しょう中のロケット推力も測定できる。
【選択図】図１【図１】
0005927459.tif 000002
【図２】
0005927459.tif 000003
【図３】
0005927459.tif 000004
【図４】
0005927459.tif 000005
【図５】
0005927459.tif 000006
【図６】
0005927459.tif 000007
【図７】
0005927459.tif 000008